(57)【要約】【課題】自己発電した電力を用いる表示装置の誤動作を抑制する。【解決手段】電子表示媒体を駆動する駆動装置に、制御部と、電力を発電する自己発電部と、前記自己発電部によって発電された電力を蓄積して前記駆動装置に電力を供給する蓄電部と、前記蓄電部に蓄積された電力の蓄電電圧を測定する電圧測定部と、前記電子表示媒体に駆動信号を印加する表示ドライブ部を備えさせ、前記制御部に、前記蓄電電圧の大きさに応じて、前記駆動信号のパルス幅を制御させる。【選択図】図５
2019045790.tif 000002
【特許請求の範囲】
【請求項１】
電子表示媒体を駆動する駆動装置であって、
前記駆動装置を制御する制御部と、
電力を発電する自己発電部と、
前記自己発電部によって発電された電力を蓄積して前記駆動装置に電力を供給する蓄電部と、
前記蓄電部に蓄積された電力の蓄電電圧を測定する電圧測定部と、
前記電子表示媒体に駆動信号を印加する表示ドライブ部と、
を有し、
前記制御部は、前記蓄電電圧の大きさに応じて、前記駆動信号のパルス幅を制御する
ことを特徴とする駆動装置。
【請求項２】
請求項１に記載の駆動装置であって、
前記蓄電電圧と前記駆動信号の前記パルス幅とが対応付けられた対応テーブルデータを記憶し、
前記制御部が、前記電圧測定部が測定した前記蓄電電圧と、前記対応テーブルデータとに従って、前記駆動信号の前記パルス幅を制御する
ことを特徴とする駆動装置。
【請求項３】
請求項１又は２に記載の駆動装置であって、前記自己発電部の発電開始から所定の時間の経過後に、前記電圧測定部が前記蓄電電圧を測定することを特徴とする駆動装置。
【請求項４】
請求項１から３の何れか一項に記載の駆動装置であって、前記駆動信号がＤＣバランスを保つように前記電子表示媒体に印加されることを特徴とする駆動装置。
【請求項５】
駆動装置を備える電子表示媒体の駆動方法であって、
前記駆動装置は、前記駆動装置を制御する制御部と、電力を発電する自己発電部と、前記自己発電部によって発電された電力を蓄積して前記駆動装置に電力を供給する蓄電部と、前記蓄電部に蓄積された電力の蓄電電圧を測定する電圧測定部と、
前記電子表示媒体に駆動信号を印加する表示ドライブ部と、を備え、
電力を発電する発電ステップと、
前記自己発電部によって発電された電力を蓄積する蓄電ステップと、
前記蓄電部に蓄積された電力の蓄電電圧を測定する電圧測定ステップと、
前記電圧測定ステップにおいて測定された前記蓄電電圧の大きさに応じて、前記駆動信号のパルス幅を制御するパルス幅制御ステップと、
前記電子表示媒体に駆動信号を印加する駆動ステップと、
を有することを特徴とする電子表示媒体の駆動方法。
【請求項６】
請求項１から４の何れか一項に記載の駆動装置を備えることを特徴とする表示装置。
【発明の詳細な説明】
【技術分野】
【０００１】
本発明は、駆動装置、駆動方法、及び表示装置に関する。
【背景技術】
【０００２】
従来より、電気泳動表示素子等のメモリ性を有する電子表示媒体を用いた電子装置に関する技術が知られている（例えば、特許文献１参照）。メモリ性を有する電子表示媒体は、表示の書き換え時には電力を要するが、書き換えた後は電力を要さずに表示内容を保持することができるため、電力の消費を抑えることができる。特許文献１に開示された技術では、電磁誘導によって非接触で発生された電源により、マイコンやドライバＩＣに電力が供給される。
【０００３】
ところで、太陽光や振動、熱等のエネルギーを電気エネルギーに変換し、様々な電子装置や機器を駆動することができる、エナジーハーベストや環境発電と呼ばれる技術が存在する。メモリ性を有する電子表示装置において、自己発電した電力を利用して表示の書き換えを行うようにすれば、さらに電力の消費を減らすことができる。
【先行技術文献】
【特許文献】
【０００４】
【特許文献１】特開２０１４−００２６９４号公報
【発明の概要】
【発明が解決しようとする課題】
【０００５】
しかし、自己発電した電力を利用する場合、発電量のバラツキがあり、電力の供給が不十分なことがある。その場合、表示を書き換えている途中で駆動装置が誤動作したり、表示の書き換えが不完全になったりするおそれがあった。
【０００６】
本発明は、上記問題を解決すべくなされたもので、その目的は、発電量のバラツキに対応して、電子表示媒体の表示の書き換えの誤動作を抑制しつつ、電子表示媒体の表示を確実に書き換えることができる駆動装置と制御方法、及び表示装置を提供することを目的とする。
【課題を解決するための手段】
【０００７】
上記の課題を解決するために、本発明は、電子表示媒体を駆動する駆動装置であって、前記駆動装置を制御する制御部と、電力を発電する自己発電部と、前記自己発電部によって発電された電力を蓄積して前記駆動装置に電力を供給する蓄電部と、前記蓄電部に蓄積された電力の蓄電電圧を測定する電圧測定部と、前記電子表示媒体に駆動信号を印加する表示ドライブ部と、を有し、前記制御部は、前記蓄電電圧の大きさに応じて、前記駆動信号のパルス幅を制御することを特徴とする駆動装置である。
【０００８】
本発明は、この構成により、駆動で消費される電力を調整できるので、限られた電力で、装置を誤動作させずに電子表示媒体の表示を確実に書き換えることができる。
【０００９】
また、本発明の駆動装置は、前記蓄電電圧と前記駆動信号の前記パルス幅とが対応付けられた対応テーブルデータを記憶し、前記制御部が、前記電圧測定部が測定した前記蓄電電圧と、前記対応テーブルデータに従って、前記駆動信号のパルス幅を制御してもよい。
【００１０】
また、本発明の駆動装置は、前記自己発電部の発電開始から所定の時間の経過後に、前
記電圧測定部が前記蓄電部の前記蓄電電圧を測定してもよい。
【００１１】
また、本発明の駆動装置は、前記駆動信号がＤＣバランスを保つように前記電子表示媒体に印加されてもよい。
【００１２】
また、本発明は、駆動装置を備える電子表示媒体の駆動方法であって、前記駆動装置は、前記駆動装置を制御する制御部と、電力を発電する自己発電部と、前記自己発電部によって発電された電力を蓄積して前記駆動装置に電力を供給する蓄電部と、前記蓄電部に蓄積された電力の蓄電電圧を測定する電圧測定部と、前記電子表示媒体に駆動信号を印加する表示ドライブ部と、を備え、電力を発電する発電ステップと、前記自己発電部によって発電された電力を蓄積する蓄電ステップと、前記蓄電部に蓄積された電力の蓄電電圧を測定する電圧測定ステップと、前記電圧測定ステップにおいて測定された前記蓄電電圧の大きさに応じて、前記駆動信号のパルス幅を制御するパルス幅制御ステップと、前記電子表示媒体に駆動信号を印加する駆動ステップと、を有することを特徴とする電子表示媒体の駆動方法である。
【００１３】
また、本発明の表示装置は、電子表示媒体と、前記電子表示媒体を駆動する駆動装置とを備え、前記駆動装置が、上記に記載の駆動装置であることを特徴とする表示装置である。
【発明の効果】
【００１４】
本発明によれば、電力の供給が不安定な場合であっても、装置を誤動作させずに電子表示媒体の表示を確実に書き換えることができる。
【図面の簡単な説明】
【００１５】
【図１】本発明の第１の実施形態による駆動装置の概略構成を示す図である。
【図２】電子表示媒体の動作原理を説明するための断面図である。
【図３】本発明の第１の実施形態の駆動処理を示すフローチャートである。
【図４】本発明の第１の実施形態の一の場合において、発電が開始してから電力が放電されるまでの電極駆動タイミング図である。
【図５】本発明の第１の実施形態の他の場合において、発電が開始してから電力が放電されるまでの電極駆動タイミング図である。
【図６】本発明の第１の実施形態の新たな画像への切り替え例を示す図である。
【図７】本発明の第２の実施形態の一の場合において、発電が行われてから電力が放電されるまでの電極駆動タイミング図である。
【図８】本発明の第２の実施形態の他の場合において、発電が行われてから電力が放電されるまでの電極駆動タイミング図である。
【図９】本発明の第３の実施形態の一の場合において、発電が行われてから電力が放電されるまでの電極駆動タイミング図である。
【図１０】本発明の第３の実施形態の他の場合において、発電が行われてから電力が放電されるまでの電極駆動タイミング図である。
【図１１】本発明の第４の実施形態による駆動装置の概略構成を示す図である。
【図１２】本発明の第４の実施形態の駆動処理を示すフローチャートである。
【図１３】本発明の第４の実施形態の一の場合において、発電が行われてから電力が放電されるまでの電極駆動タイミング図である。
【図１４】本発明の第４の実施形態の他の場合において、発電が行われてから電力が放電されるまでの電極駆動タイミング図である。
【発明を実施するための形態】
【００１６】
＜第１の実施形態＞
以下、本発明の第１の実施形態について、図１から図６を参照して説明する。
【００１７】
（概略構成）
図１は、本実施形態における電子ペーパー等のメモリー性を有する電子表示媒体２００を駆動する駆動装置１００の概略構成を示す図である。電子表示媒体２００の画素は、２色を表示可能であり、本実施形態では白色と黒色の２色を表示する。駆動装置１００は、トリガー出力部１０、自己発電部２０、蓄電部３０、制御部４０、不揮発性メモリ５０、ドライバＩＣ等の表示ドライブ部６０、リセット部７０、電圧測定部８０で構成される。
【００１８】
駆動装置１００は電子表示媒体２００に画像を表示させることができ、例えば電子表示媒体２００がリモコン装置に設けられる場合には、テレビのチャンネル表示やエアコンの温度表示等の画像を表示させることができる。
【００１９】
（トリガー出力部１０）
トリガー出力部１０は、電子表示媒体２００に表示される画像を書き換える契機となる操作が行われる操作部である。
【００２０】
トリガー出力部１０が操作されると、トリガー出力部１０の操作情報が制御部４０に通知される。例えば、トリガー出力部１０を押しボタンの形態とした場合には、押しボタンを押すごとに、制御部４０に対して、電子表示媒体２００に表示する画像を切り替える指令が通知される。
【００２１】
（自己発電部２０）
自己発電部２０は、操作されることによって電力を発電する。発電された電力は蓄電部３０に蓄電され、蓄えられた電力が所定の電圧を超えると、リセット部７０によって制御部４０のリセット状態が解除され、制御部４０が動作を開始する。自己発電部２０は、設けられる状況に応じて様々な形態とすることができる。例えば、振動や熱等の外部エネルギーを加えられることによって発電できるものでもよいし、押しボタンを押すことによって回転体を回転させ、その回転体のエネルギーを電磁誘導で吸収して電圧を発生させる方法や、圧電素子により電圧を発生させる方法を採ることもできる。
【００２２】
また、自己発電部２０はトリガー出力部１０と一体的に形成されていても構わない。例えば、トリガー出力部１０を押しボタンの形態として、押しボタンと上記の発電方法を組み合わせれば、トリガー出力部１０が操作されるときにトリガー出力部１０に与えられるエネルギーを利用して発電することができる。
【００２３】
本実施形態においては、トリガー出力部１０と自己発電部２０とが、押しボタンとして一体的に形成されている場合について説明する。従って、本実施形態の説明において、トリガー出力部１０が操作されると記載されている場合には、同時に自己発電部２０も操作されるものと理解される。
【００２４】
（蓄電部３０）
蓄電部３０は、自己発電部２０が発電した電力を蓄積し、蓄積した電力を駆動装置１００の各部に供給する。蓄電部３０は、例えばコンデンサとレギュレータにより構成される。蓄積された電力は、レギュレータで一定電圧以下にされた上で、駆動装置１００に供給される。
【００２５】
（リセット部７０）
リセット部７０はアナログＩＣで構成され、蓄電部３０に蓄積された電力の電圧が、ＩＣで規定される所定値以上になった場合に、リセット解除信号を制御部４０に出力するこ
とで、制御部４０のリセット状態を解除し、制御部４０の動作を開始させる。制御部４０は、初期状態ではリセット状態になっており、リセット部７０からリセット解除信号を受信することで動作を開始する。
【００２６】
（電圧測定部８０）
電圧測定部８０は、蓄電部３０が蓄積し、駆動装置１００に供給する電力の蓄電電圧ＶＢを測定し、その測定データを制御部４０に送信する。
【００２７】
（制御部４０）
制御部４０は、不図示の演算手段（ＣＰＵ： Central Processing Unit）と読み書き可能な揮発性記憶手段（ＲＡＭ：Random Access Memory）と記憶部４１を含み、記憶部４１に記憶されたプログラムに従って処理を実行する。記憶部４１は、書き変え可能な不揮発性記憶媒体（ＥＰＲＯＭ，ＯＴＰ−ＥＰＲＯＭ，フラッシュメモリ等）や、読出し専用の不揮発性記憶媒体（ＲＯＭ：Read Only Memory）であり、演算手段ＣＰＵの制御プログラムを記憶する。
【００２８】
記憶部４１は、制御部４０の集積回路の一部として、制御部４０の集積回路に一体に組込まれて構成されてもよい。
【００２９】
また、記憶部４１は、後述する、蓄電電圧と駆動信号のパルス幅の対応テーブルデータを記憶する。蓄電電圧と駆動信号のパルス幅の対応テーブルデータは、蓄電部３０の蓄電電圧ＶＢと、電子表示媒体２００の電極に印加する駆動信号のパルス幅とを対応させたテーブルである。
【００３０】
制御部４０は起動すると、時間の計測を開始する。また、制御部４０は、画像情報を、不揮発性メモリ５０及び表示ドライブ部６０のバッファ回路６１に記憶させる。
【００３１】
電子表示媒体２００は、メモリー性を持っているので、電源が無くても、以前の画像を表示している。制御部４０は、電子表示媒体２００に表示されている画像を新たな画像に書き換える際に、まず不揮発性メモリ５０から電子表示媒体２００に現在表示されている画像を示す画像情報（以下、「現画像情報」ともいう）を読み取り、表示ドライブ部６０の新画像バッファ回路６１ｂに書き込み、その後、旧画像バッファ回路６１ａにコピーする。また、制御部４０は、新たな画像を示す画像情報（以下、「新画像情報」ともいう）を表示ドライブ部６０の新画像バッファ回路６１ｂに書き込む。
【００３２】
そして、制御部４０は、起動して所定時間が経過した後に、電圧測定部８０が測定した蓄電電圧ＶＢを取得し、また、記憶部４１から対応テーブルデータを読み出して、駆動波形のパルス幅を決定する。パルス幅は、蓄電部３０の蓄電電圧ＶＢが、電子表示媒体２００の書き換えが完了するまでは所定の限度を超えて低下することが無いように、適切なパルス幅が決定される。
【００３３】
より詳しくは、蓄電電圧ＶＢが十分に大きいときには長いパルス幅として、小さいときには短いパルス幅とする。本実施形態では、蓄電電圧ＶＢ≦２．５Ｖの場合にはパルス幅１５０ｍ秒、２．５Ｖ＜蓄電電圧ＶＢ≦３．３Ｖの場合にはパルス幅２００ｍ秒、３．３Ｖ＜蓄電電圧ＶＢの場合にはパルス幅３００ｍ秒であるが、蓄電電圧ＶＢとパルス幅の関係および値は、駆動装置１００の各部の構成により定まるものであるため、これらに限定されない。
【００３４】
適切なパルス幅を決定すると、制御部４０は、表示ドライブ部６０に、決定した駆動波形のパルス幅を指定して、駆動波形を電子表示媒体２００に印加する指令を送信する。
【００３５】
（不揮発性メモリ５０）
不揮発性メモリ５０は、書き換え可能な不揮発性記憶媒体であり、例えば、フラッシュメモリや、ＦＲＡＭ(登録商標）（強誘電体メモリ）で構成され、不揮発性メモリ５０は、上述した画像情報を記憶する。
【００３６】
また、不揮発性メモリ５０は、制御部４０の集積回路の一部に組込まれて制御部４０の一部として構成されてもよい。
【００３７】
（表示ドライブ部６０）
表示ドライブ部６０は、演算回路と昇圧回路とドライバ回路とを備え、電子表示媒体２００に対し、所定の駆動信号を出力する。表示ドライブ部６０が駆動信号を電子表示媒体２００に印加することにより、電子表示媒体２００に表示されていた現画像が新画像情報の画像に書き換わる。
【００３８】
本実施形態の表示ドライブ部６０には、昇圧回路によって３Ｖ前後の入力電圧を±１５Ｖに昇圧（・反転）し、０Ｖと＋１５Ｖと―１５Ｖの３値のＤＣ電圧を電子表示媒体２００に印加して駆動する３値駆動のドライバＩＣを用いる。
【００３９】
表示ドライブ部６０は、上述した現画像情報を記憶する旧画像バッファ回路６１ａと、新画像情報を記憶する新画像バッファ回路６１ｂを備える。以後、旧画像バッファ回路６１ａと新画像バッファ回路６１ｂとを合わせて、バッファ回路６１と呼ぶことがある。
【００４０】
表示ドライブ部６０の演算回路は、表示ドライブ部６０のバッファ回路６１に記憶している現画像情報と新画像情報とを比較する。表示ドライブ部６０は、ここでの比較により、各画素について、（１）白から黒に変化するのか、（２）黒から白に変化するのか、（３）白のまま変化しないのか、（４）黒のまま変化しないのかを判定して、各画素への駆動信号の出力波形を決定する。
【００４１】
ドライバ回路は、演算回路の比較の結果に応じた駆動信号を所定期間の間、電子表示媒体２００の各画素に出力する。
【００４２】
なお、表示ドライブ部６０の演算回路と、昇圧回路とドライバ回路は、それぞれ異なるモジュールとして構成することもできる。
【００４３】
（電子表示媒体２００）
図２は、帯電粒子が電気泳動によって移動する電気泳動型の電子ペーパーによる電子表示媒体２００の動作原理を説明する断面図である。図２には、上電極２１０、下電極２２０、マイクロカプセル２３０、白粒子２４０、黒粒子２５０、オイル等の透明溶媒２６０が示されている。図２の電子表示媒体２００は、観察方向Ａ（上電極２１０側）から観察される。
【００４４】
図２の様に、電気泳動型の電子ペーパーによる電子表示媒体２００は、直径約４０μｍのマイクロカプセル２３０の透明溶媒２６０の中に、負で永久帯電した白粒子２４０と、正で永久帯電した黒粒子２５０が入っている。上電極２１０はＩＴＯ（酸化インジューム錫）膜などの透明電極で形成した共通電極である。下電極２２０は、金属箔等で形成した１つのセグメントの画素領域ごとに設けられた画素電極である。
【００４５】
上電極２１０に０Ｖの電圧を印加し、下電極２２０を−１５Ｖにすると、負に帯電した白粒子２４０が透明溶媒２６０中を電気泳動によって上側に移動し、正に帯電した黒粒子
２５０が下側に移動するので、観察方向Ａから見ると白く見える。
【００４６】
下電極２２０に＋１５Ｖの電圧を印加し、上電極２１０を０Ｖにすると、負に帯電した白粒子２４０が透明溶媒２６０中を電気泳動によって下側に移動し、正に帯電した黒粒子２５０が上側に移動するので、観察方向Ａから見ると黒く見える。
【００４７】
その後、上電極２１０と下電極２２０の間に加える印加電圧の差を０Ｖにしても、粒子同士、粒子とマイクロカプセル界面との分子間力により、電子表示媒体２００は、その状態を保持し、同じ色を表示し続ける。
【００４８】
（動作手順）
次に、第１の実施形態の駆動装置１００により行われる駆動処理の一例を図３のフローチャートを用いて説明する。
【００４９】
（ステップＳ１）
先ず、トリガー出力部１０および自己発電部２０が操作されることにより、自己発電部２０が発電を開始し、その電力が蓄電部３０に蓄えられる。
【００５０】
（ステップＳ２）
蓄電部３０に蓄えられた電力の電圧が、制御部４０が安定して駆動可能な電圧（例えば、１．７Ｖ）を超えることにより、リセット部７０が制御部４０にリセット解除信号を出力する。それにより、制御部４０のリセット状態が解除され、制御部４０が起動する。起動した制御部４０は、時間の計測を開始する。また、トリガー出力部１０の状態を入力して、次に表示すべき画像を用意する。
【００５１】
自己発電による発電の場合、自己発電部２０からの電力供給の開始直後においては、電圧の上昇が不安定になることがあり、制御部４０の演算手段の動作が不安定になったり、暴走したりするおそれがある。そこで、リセット部７０を設けて、蓄電部３０から供給される電圧が安定な動作を行うのに必要な電圧以上になってからリセット解除信号を制御部４０に出力するようにすることにより、制御部４０を安定して確実に動作を開始させることができる。
【００５２】
（ステップＳ３）
制御部４０が、表示ドライブ部６０を起動する。表示ドライブ部６０の起動時には、制御部４０から初期設定として、動作クロック、駆動波形デ−タ、昇圧回路の消電モ−ド等、各種レジスタの初期値が入力され、初期化される。
【００５３】
（ステップＳ４）
制御部４０は、不揮発性メモリ５０から、電子表示媒体２００に表示されている現画像情報を取得する。
【００５４】
（ステップＳ５）
制御部４０は、取得した現画像情報を表示ドライブ部６０の新画像バッファ回路６１ｂに入力する。
【００５５】
（ステップＳ６）
表示ドライブ部６０は、新画像バッファ回路６１ｂに入力された現画像情報を旧画像バッファ回路６１ａにコピーする。新画像バッファ回路６１ｂのデータを旧画像バッファ回路６１ａに記憶するためのシフトコマンドをもっていないドライバＩＣを用いた表示ドライブ部６０の場合には、ダミー駆動を行う。ダミー駆動の場合は、実際には駆動信号は出力されない。
【００５６】
（ステップＳ７）
制御部４０は、利用者がトリガー出力部１０を押すことにより指令された新画像情報を表示ドライブ部６０の新画像バッファ回路６１ｂに入力する。新画像バッファ回路６１ｂに新画像情報が入力されることにより、それまで新画像バッファ回路６１ｂに記憶されていた現画像情報が新画像情報に上書きされる。これにより、電子表示媒体２００に表示させる新画像情報が準備される。
【００５７】
（ステップＳ８）
制御部４０は、新画像情報を不揮発性メモリ５０に上書きして、記憶する。
【００５８】
（ステップＳ９）
制御部４０は、予め定めている所定の時間を経過した後に、電圧測定部８０に対して蓄電電圧ＶＢを測定する指令を送信し、電圧測定部８０は蓄電部３０に充電された蓄電電圧ＶＢを測定し、制御部４０に結果を送信する。
【００５９】
予め定めている所定の時間は、自己発電部２０の発電した電力によって蓄電部３０の蓄電電圧ＶＢが、電子表示媒体２００の画像書き換えに必要な電圧（例えば、３．５Ｖ）まで上昇するために要する時間である。その所定の時間は、自己発電部２０と蓄電部３０の構成や自己発電部２０の押し方により１μ秒から１秒程度である。
【００６０】
（ステップＳ１０）
制御部４０は、記憶部４１から対応テーブルデータを読み出し、蓄電電圧ＶＢと対応テーブルデータとから、蓄電部３０の蓄電電圧ＶＢの大きさに応じた、電子表示媒体２００の下電極２２０と上電極２１０に加える駆動信号の適切なパルス幅を決定する。
【００６１】
そして、制御部４０は、表示ドライブ部６０に、電子表示媒体２００へ駆動信号を印加する指令を、パルス幅を指定して送信する。
【００６２】
（ステップＳ１１）
表示ドライブ部６０の演算回路は、制御部４０から受信した駆動信号のパルス幅の指定に従い、現画像情報と新画像情報とを比較する演算結果に応じて駆動信号のデータを作成する。表示ドライブ部６０のドライバ回路は、演算回路が作成した駆動信号のデータに従って、トッププレーン電極駆動電圧パルスＴＰおよび画素電極駆動電圧パルスを出力し、各電極に印加する。
【００６３】
（ステップＳ１２）
駆動信号が出力されると、制御部４０は、表示ドライブ部６０の新画像バッファ回路６１ｂに記憶されている新画像情報を、表示ドライブ部６０の旧画像バッファ回路６１ａにコピーする。これにより、電源がオフになっても、現在の表示画面デ−タが、不揮発性メモリ５０に保存される。
【００６４】
（ステップＳ１３）
制御部４０は、表示ドライブ部６０から、駆動信号の出力中であることを示すＢＵＳＹが出力されているかをチェックする。
【００６５】
（ステップＳ１４）
制御部４０は、表示ドライブ部６０からのＢＵＳＹ出力が終了したか否かを判定する。
【００６６】
制御部４０は、表示ドライブ部６０からのＢＵＳＹ出力が終了していない場合には（ステップＳ１４：ＮＯ）、再びステップＳ１４に戻り、表示ドライブ部６０からのＢＵＳＹ出力の終了をチェックする。
【００６７】
（ステップＳ１５）
制御部４０は、表示ドライブ部６０からのＢＵＳＹ出力が終了した場合には（ステップＳ１４：ＹＥＳ）、表示ドライブ部６０を停止させる。その後、自然放電により、蓄電電圧ＶＢは徐々に０Ｖに低下してゆく。
【００６８】
以上説明した処理に示されるように、制御部４０は、供給される電力の蓄電電圧ＶＢが制御部動作電圧になったことを契機に、リセット部７０がリセット解除信号を出力することで動作を開始する。そして、上記のステップＳ１５で処理を終了する。
【００６９】
制御部４０は、一度処理が終了すると、もう一度リセットの状態になるまでは次の処理を行わない。これにより、書き換え終了後であって蓄電部３０から供給される電圧が不安定な場合でも、誤表示を好適に抑制することができる。
【００７０】
図４と図５のタイミング図を参照して、自己発電部２０による発電が行われてから、蓄電部３０に蓄積された電力を用いて電子表示媒体２００の表示を書き換えるまでの、蓄電部３０の蓄電電圧ＶＢの時間推移と、電子表示媒体２００に印加する駆動信号の時間推移とを説明する。図４は利用者が自己発電部２０を強く押すなどして発電量が大きい場合のタイミング図であり、図５は反対に、利用者が自己発電部２０を弱く押すなどして発電量が小さい場合のタイミング図である。
【００７１】
本実施形態においては、発電量が大きい場合の電圧測定部８０による蓄電電圧ＶＢの測定値を３．５Ｖ、発電量が小さい場合の電圧測定部８０による蓄電電圧ＶＢの測定値を３．０Ｖとしているが、これらは値の一例であり、蓄電電圧ＶＢは制御部４０、表示ドライブ部６０、及び自己発電部２０など装置構成により定まるため、必ずしもこれらの値に限定されない。
【００７２】
まず初めに、発電量が大きい場合について、図４のタイミング図を用いて説明する。
【００７３】
（時刻Ｔ１）
図４（ａ）において、まず、時刻Ｔ１で自己発電部２０は発電を開始する。蓄電部３０の蓄電電圧ＶＢは、１μ秒から１秒程度の時間を経て最大値まで立ち上がる。
【００７４】
（時刻Ｔ２）
蓄電電圧ＶＢが時刻Ｔ２において、蓄電電圧ＶＢが制御部動作電圧（例えば１．７Ｖ）に達して、制御部４０及び表示ドライブ部６０が正常に動作可能になる。時刻Ｔ２において、リセット部７０が、リセット解除信号を制御部４０に出力することにより、制御部４０を起動させる。
【００７５】
動作を開始した制御部４０は、蓄電部３０の蓄電電圧ＶＢが電子表示媒体２００の書き換えに必要な電圧まで立ち上がるまでの待ち時間の経過後の時刻Ｔ３に、電圧測定部８０に対して蓄電部３０の蓄電電圧ＶＢを測定する指示を行う。
【００７６】
（時刻Ｔ３）
時刻Ｔ３において、電圧測定部８０は蓄電部３０の蓄電電圧ＶＢを測定する。そして、制御部４０は、表示ドライブ部６０に、蓄電電圧ＶＢの大きさに応じた駆動信号のパルス幅を指定して、電子表示媒体２００の駆動を指示する。これにより、表示ドライブ部６０
は電子表示媒体２００の駆動を開始する。
【００７７】
これに伴い、数十マイクロアンペアから数百マイクロアンペアの電流が流れるため、徐々に蓄電部３０の蓄電電圧ＶＢが低下していく。蓄電部３０の蓄電電圧ＶＢが所定の限度を超えて低下すると、制御部４０の動作が不安定になったり、暴走したりするおそれがある。
【００７８】
表示ドライブ部６０は、制御部４０が指定した駆動信号のパルス幅に応じて、時刻Ｔ４まで電子表示媒体２００を駆動することで、電子表示媒体２００に新たな画像を表示させる。すなわち、時刻Ｔ３〜Ｔ４が電子表示媒体２００の書換期間である。
【００７９】
利用者が自己発電部２０を強く押した場合では、時刻Ｔ３において電圧測定部８０が測定した蓄電部３０の蓄電電圧ＶＢは３．５Ｖである。制御部４０は表示ドライブ部６０へ、その測定電圧３．５Ｖに応じたパルス幅での駆動の指示をする。蓄電電圧ＶＢが３．５Ｖの場合は安定に動作するために十分な余裕がある電圧であるため、パルス幅は３００ｍ秒である。この場合は、電子表示媒体２００が高いコントラストの画質で画素を表示することができる。
【００８０】
図４（ｂ）において、「ＴＰ」は、上電極２１０へ印加する０Ｖの駆動信号（トッププレ−ン電極駆動電圧パルス）の波形を示している。図４（ｃ）から（ｆ）は、利用者が自己発電部２０を強く押した場合の、下電極２２０に印加される駆動信号の波形を示す図である。それぞれ、「白→黒」、「黒→白」、「白→白」そして「黒→黒」に画像表示が書き換えられるときの駆動信号の波形を示している。下電極２２０に印加される電圧は、本実施形態においては＋１５Ｖ、０Ｖ、−１５Ｖのいずれかである。
【００８１】
各画素領域の上電極２１０と下電極２２０との間に印加される電圧は、図４（ｂ）の「ＴＰ」に示される電圧と、図４（ｃ）から（ｆ）に示される電圧とを合成した電圧である。図４（ｇ）から（ｊ）は、合成された駆動信号の波形を示す図である。
【００８２】
本実施形態では、白から黒に書き換えるときのパルス幅と、黒から白に書き換えるときのパルス幅とを同じにし、正負の駆動信号のパルスのＤＣバランスを保つように電圧を印加する。こうすることによって、電子ペーパーの寿命を延ばし、電子ペーパーの焼き付きを防止することができる。
【００８３】
次に、発電量が小さい場合について、図５のタイミング図を用いて説明する。
【００８４】
利用者が自己発電部２０を弱く押した場合を示す図５では、時刻Ｔ３において電圧測定部８０が測定した蓄電部３０の蓄電電圧ＶＢが３．０Ｖであり、３．５Ｖより小さくなる。それに応じて、制御部４０は表示ドライブ部６０へ、３．５Ｖのときよりも短いパルス幅での駆動の指示をする。蓄電電圧ＶＢが３．０Ｖの場合は、安定に動作するための余裕が少ない電圧であるため、対応テ−ブルデータに従い、２００ｍ秒に短くする。
【００８５】
駆動信号のパルス幅を２００ｍ秒に短くすると、白粒子２４０及び黒粒子２５０が透明溶媒２６０中を電気泳動する時間が短くなるので、コントラストは蓄電電圧ＶＢが３．５Ｖの時と比較すると悪くなる。しかし、このようにパルス幅を短くすることで、書き換えの途中での電力の不足による制御部４０の誤動作を防止できる効果がある。
【００８６】
図５（ｂ）から（ｊ）に、利用者が自己発電部２０を弱く押した場合の、上電極２１０および下電極２２０に印加される駆動信号の波形、そしてそれらの合成波形を示す。書換期間が２００ｍ秒に短くなっている他は、利用者が自己発電部２０を強く押した場合と変
わらない。
【００８７】
図６は、新たな画像への切り替え例を示す図である。この切り替え例は、電子表示媒体２００として、数字やアイコンを示すセグメント型電子ペーパーを用いた場合に、７セグメントタイプの画像「２」が表示されている状態から新たな画像「５」へ切り替える例を示している。画素領域３１０、３２０、３４０は、画像の主要要素の画素領域であり、画素領域３３０は、画像の背景の画素領域である。
【００８８】
「２」から「５」に切り替える場合、画素領域３３０、３４０は変化しない。画素領域３３０は白から白であるため、上述した「白→白」の波形の駆動信号が印加される。画素領域３４０は黒から黒であるため、「黒→黒」の波形の駆動信号が印加される。
【００８９】
一方、画素領域３１０、３２０は変化する。画素領域３１０は黒から白に変化するため、「黒→白」の波形の駆動信号が印加される。画素領域３１０は白から黒に変化するため、「白→黒」の波形の駆動信号が印加される。
【００９０】
それぞれの画素領域に上述した駆動信号が所定期間印加されると、画素領域３１０は黒から白に徐々に変化し、白となり、画素領域３２０は白から黒に徐々に変化し、黒となることで、画像が「５」に切り替わる。
【００９１】
ここまで説明したように、本実施形態に係る表示装置は、電子表示媒体２００（例えば、電子ペーパー）を駆動装置１００が駆動する。その駆動装置１００は、駆動装置１００を制御する制御部４０と、電力を自己発電する自己発電部２０（例えば、押しボタン）と、その自己発電部２０によって発電された電力を蓄積して駆動装置１００に電力を供給する蓄電部３０（例えば、コンデンサ）と、蓄電部３０の蓄電電圧ＶＢを測定する電圧測定部８０と、電子表示媒体２００に駆動信号を印加する表示ドライブ部６０（例えば、ドライバＩＣ）と、を有する。そして、表示ドライブ部６０は、蓄電電圧ＶＢの大きさに応じて駆動信号のパルス幅を制御する。
【００９２】
この構成によれば、利用者による発電量の個人差による発電量のバラツキに対応して電力の不足による表示装置の誤動作を確実に防止でき、表示装置の使い勝手を向上させることができる効果がある。
【００９３】
＜第２の実施形態＞
以下、本発明の第２の実施形態について説明する。装置の構成は、第１の実施形態と同様であるが、表示ドライブ部６０として、０Ｖと＋１５Ｖの２値のＤＣ電圧を電子表示媒体２００に印加する２値駆動のドライバＩＣを用いる点と、表示ドライブ部６０によって印加される駆動信号の波形が櫛状である点が、第１の実施形態とは異なる。第１の実施形態と異なる点について、図７と図８のタイミング図を参照して説明する。
【００９４】
図７は、利用者が自己発電部２０を強く押した場合のタイミング図であり、図８は、利用者が自己発電部２０を弱く押した場合のタイミング図である。
【００９５】
まず初めに、発電量が大きい場合について、図７のタイミング図を用いて説明する。
【００９６】
図７（ａ）は、蓄電部３０に蓄えられた電力の電圧の時間推移を示す。表示ドライブ部６０が２値駆動のドライバＩＣを使っている点以外に、装置構成としては第１の実施形態とは相違がないので、蓄電電圧ＶＢの時間推移は第１の実施形態と同様である。
【００９７】
図７（ｂ）は、上電極２１０に印加される駆動信号の波形を示す図であり、上電極２１
０には、２値の電圧（＋１５Ｖ、０Ｖ）が交互に印加される。本実施形態では、駆動信号を出力している期間（書換期間）は全部で６００ｍ秒であり、２値の電圧の１周期は２００ｍ秒である。
【００９８】
図７（ｃ）から（ｆ）は、下電極２２０に印加される駆動信号の波形を示す図である。それぞれ、「白→黒」、「黒→白」、「白→白」そして「黒→黒」に画像表示が書き換えられるときの駆動信号の波形を示している。下電極２２０に印加される電圧は、本実施形態においては＋１５Ｖもしくは０Ｖのいずれかである。
【００９９】
図７（ｇ）から（ｊ）は、上電極２１０に印加される駆動信号と、下電極２２０に印加される駆動信号とを合成した駆動信号の波形を示している。これらの図から分かるように、上電極２１０および下電極２２０に印加される駆動信号の電圧は＋１５Ｖおよび０Ｖの２値であったが、これらを合成したときには、＋１５Ｖ、０Ｖ、−１５Ｖの３値を取ることになる。
【０１００】
すなわち、画像を白から黒に書き換えるときには、画素には＋１５Ｖと０Ｖの電圧が周期的に印加され、黒から白に書き換えるときには−１５Ｖと０Ｖの電圧が周期的に印加される。そして、色を書き換えないときには、上電極と下電極の電圧差が打ち消され、電圧が印加されない。
【０１０１】
次に、発電量が小さい場合について、図８のタイミング図を用いて説明する。
【０１０２】
利用者が自己発電部２０を弱く押した場合を示す図８では、時刻Ｔ３において電圧測定部８０が測定した蓄電部３０の蓄電電圧ＶＢが３．０Ｖであり、３．５Ｖより小さくなるので、対応テーブルデータに従って、全体のパルス幅が４００ｍ秒に短くなっている。上電極２１０および下電極２２０に印加される２値の電圧の各周期のパルス幅は、自己発電部２０が強く押された場合と変わっておらず、全体のパルス幅に含まれる櫛状のパルスの数が異なっている。
【０１０３】
ここまで説明したように、本実施形態の駆動装置は、下電極２２０に０Ｖと＋１５の２値の電圧を印加する。それにより、合成された駆動信号を、＋１５Ｖ、０Ｖの複数のパルス状の駆動信号と、―１５Ｖ、０Ｖの複数のパルス状の駆動信号と、０Ｖの駆動信号の３値とすることができる。また、電圧測定部８０が測定した蓄電電圧ＶＢの値に応じて、印加するパルスの数を変化させる。
【０１０４】
このように、表示ドライブ部６０として２値駆動のドライバＩＣを用いることで、ドライバＩＣの駆動電流が３値駆動のドライバＩＣを用いたときより小さくなるので、駆動装置１００自体の消費電流を小さくできる効果がある。さらに、短いパルス幅の信号を周期的に印加することで、２値駆動のドライバＩＣを用いても、３値駆動のドライバＩＣのように、「白→黒」、「黒→白」の書き換えを同時に行うことが可能となる。
【０１０５】
また、本実施形態では、それぞれのパルス幅を２００ｍ秒に固定してパルス数を変更することで、全体のパルス幅を調整したが、パルス数を固定して、それぞれのパルス幅を変更して、全体のパルス幅を調整してもよい。
【０１０６】
＜第３の実施形態＞
以下、本発明の第３の実施形態について説明する。装置の構成は、第１の実施形態と同様であるが、表示ドライブ部６０によって印加される駆動信号のパルス形状が、１回の書換期間の中でＤＣバランスが取れている点が、第１の実施形態とは異なる。第１の実施形態と異なる点について、図９と図１０のタイミング図を参照して説明する。
【０１０７】
図９は、利用者が自己発電部２０を強く押した場合のタイミング図であり、図１０は、利用者が自己発電部２０を弱く押した場合のタイミング図である。
【０１０８】
まず初めに、発電量が大きい場合について、図９のタイミング図を用いて説明する。
【０１０９】
図９（ａ）は、蓄電部３０に蓄えられた電力の電圧の時間推移を示す。装置構成としては第１の実施形態とは相違がないので、蓄電電圧ＶＢの時間推移は第１の実施形態と同様である。
【０１１０】
図９（ｂ）は、上電極２１０へ印加する駆動信号の波形を示している。図９（ｃ）から（ｆ）は、下電極２２０に印加される駆動信号の波形を示す図である。それぞれ、「白→黒」、「黒→白」、「白→白」そして「黒→黒」に画像表示が書き換えられるときの駆動信号の波形を示している。
【０１１１】
図９（ｇ）から（ｊ）は、上電極２１０と下電極２２０に印加される駆動信号の合成波形を示している。
【０１１２】
図９（ｇ）で示すように、白から黒に書き換えるときには、全体のパルス幅（書換期間）は６００ｍ秒であるが、初めの３００ｍ秒では下電極２２０には−１５Ｖの電圧が印加され、後の３００ｍ秒では＋１５Ｖの電圧が印加される。初めの３００ｍ秒においては、マイクロカプセル中の白粒子が上電極側に移動して黒粒子が下電極側に移動する。しかし、後の３００ｍ秒においては黒粒子が上電極側に移動して白粒子が下電極側に移動する。結果として、書換期間終了後には、黒粒子が上電極側に存在することになり、その画素領域は観察方向Ａからは黒色として見えることになる。
【０１１３】
一方、図９（ｈ）に示すように、黒から白に書き換えるときには、全体のパルス幅（書換期間）は６００ｍ秒であるが、初めの３００ｍ秒では下電極２２０には＋１５Ｖの電圧が印加され、後の３００ｍ秒では−１５Ｖの電圧が印加される。白から黒に書き換えるときとは粒子の移動が反対になるので、書換期間終了後には、その画素領域は観察方向Ａからは白色として見えることになる。
【０１１４】
図９（ｉ）、（ｊ）に示すように、色の書き換えを行わない場合には、合成波形は０Ｖとなり、粒子の移動は起きない。そのため、白色は白色のままとなり、黒色は黒色のままとなる。
【０１１５】
次に、発電量が小さい場合について、図１０のタイミング図を用いて説明する。
【０１１６】
利用者が自己発電部２０を弱く押した場合の駆動波形を示す図１０では、時刻Ｔ３において電圧測定部８０が測定した蓄電部３０の蓄電電圧ＶＢが３．０Ｖであり、３．５Ｖより小さくなるので、対応テーブルデータに従って、全体のパルス幅が４００ｍ秒に短くなっている。それに従い、下電極２２０に−１５Ｖと＋１５Ｖの電圧が印加される期間も、それぞれ２００ｍ秒ずつに短くなっている。
【０１１７】
ここまで説明したように、本実施形態では、正の電界のパルスと負の電界のパルスの対を電子表示媒体２００の画素領域に印加することで、１回の書換期間の中で駆動波形のＤＣバランスが取れている。このようにすることで、画素領域を、前の書換期間においてあるパルス幅の駆動信号で書き換えた後で、その画素領域の色を元に戻す駆動信号を印加する場合に、今回の駆動信号の全体のパルス幅が、前に印加した駆動信号の全体のパルス幅と異なっていたとしても、前の駆動信号で印加された電荷と今回の駆動信号で印加された
電荷の合計がゼロになるので、完全には元の色に戻らない焼付現象を防止し、安定した濃さの色で画素領域を表示させることができる。
【０１１８】
＜第４の実施形態＞
以下、本発明の第４の実施形態について、図１１から図１４を参照して説明する。
【０１１９】
（表示ドライブ部１６０）
図１１に、第４の実施形態による駆動装置１１００の概略構成図を示す。第４の実施形態は、画像情報を記憶する不揮発性メモリを有していない点と、表示ドライブ部１６０のバッファ回路１６１が、旧画像バッファ回路を有していない点が、装置構成上、第１の実施形態とは異なる。そのため、制御部４０は不揮発性メモリに画像情報を記憶させず、色を変更しない画素領域にも駆動信号が印加される。第４の実施形態の表示ドライブ部１６０は、第１の実施形態と同様な、０Ｖと＋１５Ｖと−１５Ｖの３値のＤＣ電圧を電子表示媒体２００に印加する３値駆動のドライバＩＣを用いる。
【０１２０】
第４の実施形態は、図１３と図１４のタイミング図のように、第３の実施形態と同様に、時刻Ｔ３から時刻Ｔ４の間に電子表示媒体２００に印加する合成された駆動信号が、正の電界のパルスと負の電界のパルスの対で構成されており、１回の書換期間の中でＤＣバランスが取れている。
【０１２１】
（動作手順）
次に、図１２のフローチャートを参照して、第４の実施形態の駆動装置１００の動作手順を説明する。第４の実施形態は、電子表示媒体２００のセグメントの全ての画素領域に印加する合成された駆動信号が、正の電界のパルスと負の電界のパルスの対で構成された２種類の駆動信号しか用いないために、４種類の駆動信号を用いて電子表示媒体２００を駆動した動作手順が第１の実施形態とは異なる。
【０１２２】
（ステップＳ４０１）
先ず、トリガー出力部１０および自己発電部２０が操作されることにより、自己発電部２０が発電を開始し、その電力が蓄電部３０に蓄えられる。
【０１２３】
（ステップＳ４０２）
蓄電部３０に蓄えられた電力の電圧が、制御部４０が安定して駆動可能な電圧（例えば、１．７Ｖ）を超えることにより、リセット部７０が制御部４０にリセット解除信号を出力する。それにより、制御部４０のリセット状態が解除され、制御部４０が起動する。起動した制御部４０は、時間の計測を開始する。
【０１２４】
（ステップＳ４０３）
制御部４０が、表示ドライブ部６０を起動する。表示ドライブ部６０の起動時には、制御部４０から初期設定として、動作クロック、駆動波形デ−タ、昇圧回路の消電モ−ド等、各種レジスタの初期値が入力され、初期化される。
【０１２５】
（ステップＳ４０７）
制御部４０は、利用者がトリガー出力部１０を押すことにより指令された新画像情報を表示ドライブ部６０の新画像バッファ回路１６１ｂに入力する。新画像バッファ回路１６１ｂに新画像情報が入力されることにより、それまで新画像バッファ回路１６１ｂに記憶されていた現画像情報が新画像情報に上書きされる。これにより、電子表示媒体２００に表示させる新画像情報が準備される。
【０１２６】
（ステップＳ４０９）
制御部４０は、予め定めている所定の時間を経過した後に、電圧測定部８０に対して蓄電電圧ＶＢを測定する指令を送信し、電圧測定部８０は蓄電部３０に充電された蓄電電圧ＶＢを測定し、制御部４０に結果を送信する。
【０１２７】
（ステップＳ４１０）
制御部４０は、記憶部４１から、対応テーブルデータを読出し、蓄電電圧ＶＢと対応テーブルデータとから、蓄電部３０の蓄電電圧ＶＢの大きさに応じた、電子表示媒体２００の下電極２２０と上電極２１０に加える駆動パルスの適切な駆動信号のパルス幅を決定する。
【０１２８】
そして、制御部４０は、表示ドライブ部６０に、電子表示媒体２００へ駆動信号を印加する指令を、パルス幅を指定して送信する。
【０１２９】
（ステップＳ４１１）
表示ドライブ部１６０の演算回路が、制御部４０から受信した駆動信号のパルス幅の指定に従い、駆動信号のデータを作成する。表示ドライブ部１６０のドライバ回路は、演算回路が作成した駆動信号のデータに従って、トッププレーン電極駆動電圧パルスＴＰおよび画素電極駆動電圧パルスを出力し、各電極に印加する。このとき、下電極に印加される駆動信号は、新画像が黒色である場合と、新画像が白色である場合との２種類の信号が出力される。
【０１３０】
（ステップＳ４１３）
制御部４０は、表示ドライブ部１６０から、駆動信号の出力中であることを示すＢＵＳＹが出力されているかをチェックする。
【０１３１】
（ステップＳ４１４）
制御部４０は、表示ドライブ部１６０からのＢＵＳＹ出力が終了したか否かを判定する。
【０１３２】
制御部４０は、表示ドライブ部１６０からのＢＵＳＹ出力が終了していない場合には（ステップＳ４１４：ＮＯ）、再びステップＳ４１４に戻り、表示ドライブ部１６０からのＢＵＳＹ出力の終了をチェックする。
【０１３３】
（ステップＳ４１５）
制御部４０は、表示ドライブ部１６０からのＢＵＳＹ出力が終了した場合には（ステップＳ４１４：ＹＥＳ）、表示ドライブ部１６０を停止させる。
【０１３４】
以上説明した処理に示されるように、制御部４０は、供給される電力の蓄電電圧ＶＢが制御部動作電圧になったことを契機に、リセット部７０がリセット解除信号を出力することで動作を開始する。そして、上記のステップＳ４１５で処理を終了する。
【０１３５】
図１３と図１４のタイミング図を参照して、自己発電部２０による発電が行われてから、蓄電部３０に蓄積された電力を用いて電子表示媒体２００の表示を書き換えるまでの、蓄電部３０の蓄電電圧ＶＢの時間推移と、電子表示媒体２００に印加する駆動信号の時間推移とを説明する。図１３は利用者が自己発電部２０を強く押すなどして発電量が大きい場合のタイミング図であり、図１４は反対に、利用者が自己発電部２０を弱く押すなどして発電量が小さい場合のタイミング図である。
【０１３６】
まず初めに、発電量が大きい場合について、図１３のタイミング図を用いて説明する。
【０１３７】
図１３（ａ）は、蓄電部３０に蓄えられた電力の電圧の時間推移を示す。表示ドライブ部１６０が旧画像バッファ回路を備えない点と、不揮発性メモリを備えない点以外に、装置構成としては第１の実施形態とは装置構成上の相違がないので、蓄電電圧ＶＢの時間推移は第１の実施形態と同様である。
【０１３８】
図１３（ｂ）は、上電極２１０に印加される駆動信号の波形を示す図であり、上電極２１０には０Ｖが印加される。
【０１３９】
図１３（ｃ）、（ｄ）は、下電極２２０に印加される駆動信号の波形を示す図である。（ｃ）は、「白→黒」および「黒→黒」に画像表示が書き換えられるときの駆動信号の波形を示し、（ｄ）は、「黒→白」そして「白→白」に画像表示が書き換えられるときの駆動信号の波形を示している。下電極２２０に印加される電圧は、本実施形態においては＋１５Ｖ、０Ｖ、マイナス１５Ｖのいずれかである。このように、本実施形態では、書き換え後の色が同じであれば、書き換え前後で色の変化がなかったとしても、同じ駆動信号を印加する。
【０１４０】
図１３（ｅ）、（ｆ）は、上電極２１０に印加される駆動信号と、下電極２２０に印加される駆動信号とを合成した駆動信号の波形を示している。図１３（ｅ）のように、書き換え後の色が黒であるときには、全体のパルス幅（書換期間）は６００ｍ秒であるが、初めの３００ｍ秒では−１５Ｖの電圧が印加され、後の３００ｍ秒では＋１５Ｖの電圧が印加される。これにより、書換期間終了後には、書き換え前に表示されている色が何色であるかに関わらず、黒粒子が上電極側に存在することになり、その画素領域は観察方向Ａからは黒色として見えることになる。
【０１４１】
一方、図１３（ｆ）に示すように、書き換え後の色が白であるときには、全体のパルス幅（書換期間）は６００ｍ秒であるが、初めの３００ｍ秒では＋１５Ｖの電圧が印加され、後の３００ｍ秒では−１５Ｖの電圧が印加される。黒色に書き換えるときとは粒子の移動が反対になるので、書換期間終了後には、その画素領域は観察方向Ａからは白色として見えることになる。
【０１４２】
次に、発電量が小さい場合について、図１４のタイミング図を用いて説明する。
【０１４３】
利用者が自己発電部２０を弱く押した場合の駆動波形を示す図１４では、時刻Ｔ３において電圧測定部８０が測定した蓄電部３０の蓄電電圧ＶＢが３．０Ｖであり、３．５Ｖより小さくなるので、対応テーブルデータに従って、全体のパルス幅が４００ｍ秒に短くなっている。それに従い、下電極２２０に−１５Ｖと＋１５Ｖの電圧が印加される期間も、それぞれ２００ｍ秒ずつに短くなっている。
【０１４４】
ここまで説明したように、本実施形態では、＋１５Ｖのパルスと−１５Ｖの負パルスの対が画素領域に印加されるようになっており、１回の書換期間の中でＤＣバランスが取れている。このようにすることで、画素領域に印加される駆動信号の全体のパルス幅が、先に印加された駆動信号の全体のパルス幅と異なっても、書き換え後の色が、書き換え前に表示していた色に影響されずに、安定した濃さの色で表示させることができる。
【０１４５】
また、色を切り替えない画素領域に対しても同じように駆動波形を印加するので、書き換え前の色の明度（コントラスト）にかかわらず、色が切り替えられた画素領域と同じ明度（コントラスト）で表示することができ、かつ残像をなくすことができ、画面全体としての表示に明度（コントラスト）のバラツキが無く、表示の見栄えが良くなる効果がある。さらに、旧画像バッファ回路や不揮発性メモリが不要なので、回路構成も単純になる。
【０１４６】
以上、本発明の駆動装置について説明した。なお、本発明の電子表示媒体２００の駆動の電圧は上述した実施形態での−１５Ｖや＋１５Ｖに限られるものではなく、用いるドライバＩＣや電子表示媒体により、他の電圧としてもよい。
【０１４７】
また、上述した実施形態では、電子表示媒体としてセグメント型のマイクロカプセル方式電子ペーパーを用いたが、電力が供給されない状態でも表示画像を保持することができるメモリ性を備えた表示媒体であれば特に限定されるものではなく、他にも例えば、マイクロカップ型電子ペーパーやツイストボール型電子ペーパーを用いてもよく、ドットマトリクス型の電子ペーパーを用いてもよい。
【０１４８】
ただし、セグメント型の電子ペーパーを用いることにより、回路構成や駆動方法が単純になり、書換えに必要な電力が少なくて済むので、低消費電力の表示デバイスを実現することができる。特に、本発明のように自己発電により電力を得る場合には、大きな電力を得られるとは限らないため、低消費電力の表示デバイスとすることにより、小さな電力でも表示を安定して書き換えることができ、誤表示を好適に抑制することができ、より好ましい。
【０１４９】
また、電子ペーパーの表示色は白と黒に限られるものではない。例えば、白と赤や、白と青、白と緑とすることや、白と黒と赤、白と黒と黄色のように３色とすることも考えられる。
【０１５０】
また、上述した実施形態では、操作部が１つの押しボタンである場合について説明したが、複数の押しボタンを備えるようにし、どの押しボタンが何回押されたのかを表示するようにしてもよい。この場合、押しボタン毎に複数の自己発電部を備えてもよいし、１つの自己発電部を、複数の押しボタンで動作できるよう構成にしてもよい。
【０１５１】
また、駆動装置１００がさらに通信装置を備えるようにし、自己発電により発生した電力で電子表示媒体２００を駆動するのみならず、通信装置を駆動し、電子表示媒体２００の表示状態に応じた情報を、受信装置を備える別の装置に送信してもよい。
【０１５２】
また、駆動信号のパルス幅は、対応テーブルデータを用いずに、蓄電電圧とパルス幅の関数を記憶しておき、測定した蓄電電圧ＶＢから、毎回演算によって駆動信号のパルス幅を決定しても良い。例えば、ＰＷ（パルス幅）＝（ＶＢ（蓄電電圧）−２．０）＊１００＋１５０  の関数であれば、蓄電電圧ＶＢが３．５Ｖの時にはパルス幅は３００ｍ秒で、蓄電電圧ＶＢが３．０Ｖの時にはパルス幅は２５０ｍ秒となる。
【０１５３】
また、蓄電電圧ＶＢを事前に設定した一定の待ち時間後に測定するのではなく、制御部が起動した時刻から、一定間隔で蓄積電圧ＶＢを測定し、その測定結果が概ね飽和した時刻を充電完了時刻と判断して、表示ドライバ部に書き換えを開始する指示をおこなってもよい。
【０１５４】
なお、上述した機能の一部又は全部を、ＬＳＩ（Large Scale Integration）等の集積回路として実現してもよい。上述した各機能は個別にプロセッサ化してもよいし、一部、又は全部を集積してプロセッサ化してもよい。
【０１５５】
また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【０１５６】
例えば、上述したように、制御部４０と記憶部４１とを１つのモジュールとして構成す
ることのほかに、制御部４０とリセット部７０とを１つのモジュールとして構成したり、制御部４０と電圧測定部８０、制御部４０と表示ドライブ部６０等を１つのモジュールとして構成することも考えられる。
【符号の説明】
【０１５７】
１０・・・トリガー出力部
２０・・・自己発電部
３０・・・蓄電部
４０・・・制御部
４１・・・記憶部
５０・・・不揮発性メモリ
６０、１６０・・・表示ドライブ部
６１・・・バッファ回路
６１ａ・・・旧画像バッファ回路
６１ｂ、１６１ｂ・・・新画像バッファ回路
７０・・・リセット部
８０・・・電圧測定部
１００、１１００・・・駆動装置
２００・・・電子表示媒体
２１０・・・上電極
２２０・・・下電極
２３０・・・マイクロカプセル
２４０・・・白粒子
２５０・・・黒粒子
２６０・・・透明溶媒
３１０、３２０、３３０、３４０・・・画素領域
Ａ・・・観察方向
【図１】
2019045790.tif 000003
【図２】
2019045790.tif 000004
【図３】
2019045790.tif 000005
【図４】
2019045790.tif 000006
【図５】
2019045790.tif 000007
【図６】
2019045790.tif 000008
【図７】
2019045790.tif 000009
【図８】
2019045790.tif 000010
【図９】
2019045790.tif 000011
【図１０】
2019045790.tif 000012
【図１１】
2019045790.tif 000013
【図１２】
2019045790.tif 000014
【図１３】
2019045790.tif 000015
【図１４】
2019045790.tif 000016